(57)【要約】【課題】１個目の結束でも、テープの両端に縦タブを容易に形成することができるテープ結束器を提供する。【解決手段】所定間隔で対向して設けられた一対の側板２２と、被シール体を導入口５ａから取り出し溝５ｂに誘導する誘導路５と、粘着テープ１のロール体２を回転可能に保持する保持部４と、誘導路の導入口近傍に臨むように回転可能に配設されるテープ供給歯車６と、テープ供給歯車と共働して粘着テープを被シール体にループ状に巻回する押え部材７と、テープ供給歯車の後方において誘導路に臨ませた受動部１１と、押え部材から繰り出されてきた粘着テープを縦方向に折り曲げる折曲溝及び粘着テープを切断するカッタを有する作動部を備えた作動体１０と、を具備するテープ結束器において、誘導路の導入口の近傍位置に、ロール体から引き出された粘着テープの先端部を縦方向に折り曲げる縦タブ形成部８を設ける。【選択図】    図１
0003124891.tif 000002
【実用新案登録請求の範囲】
【請求項１】
所定間隔で対向して設けられた一対の側板と、上記一対の側板に形成され、被シール体を導入口から取り出し溝に誘導する誘導路と、粘着テープのロール体を回転可能に保持する保持部と、上記誘導路の導入口近傍に臨むように回転可能に配設され、外周面に沿って複数の凹所を有するテープ供給歯車と、このテープ供給歯車の外周面に弾性的に当接する湾曲凹面を有し、上記テープ供給歯車と共働して上記粘着テープを上記被シール体にループ状に巻回する押え部材と、上記テープ供給歯車の後方において上記誘導路に臨ませた受動部と、上記押え部材から繰り出されてきた粘着テープを縦方向に折り曲げる折曲溝及び粘着テープを切断するカッタを有する作動部を備えた作動体と、を具備するテープ結束器であって、
上記誘導路の導入口の近傍位置に、上記ロール体から引き出された粘着テープの先端部を縦方向に折り曲げる縦タブ形成部を具備する、ことを特徴とするテープ結束器。
【請求項２】
請求項１記載のテープ結束器において、
上記縦タブ形成部を上記押え部材に設けた、ことを特徴とするテープ結束器。
【請求項３】
請求項１又は２記載のテープ結束器において、
上記縦タブ形成部は、角部に設けられ、粘着テープを略Ｖ字状に折り曲げる拡開テーパ状溝と、粘着テープの引き出し方向に沿って上記拡開テーパ状溝の両端に連なる接着用細溝とを具備する、ことを特徴とするテープ結束器。
【考案の詳細な説明】
【技術分野】
【０００１】
この考案は、テープ結束器に関するもので、更に詳細には、例えばビニール袋等の被シール体の開口部を結束する粘着テープを縦方向に折り曲げてシールするテープ結束器に関するものである。
【背景技術】
【０００２】
従来、この種のテープ結束器として、両側板に設けられた誘導路の入口部を挟んで周面の一部を誘導路に臨ませたポケット付き巻込みローラと、該巻込みローラの周面の一部に弾性的に当接する湾曲凹面を備えた押えブロックとを対設し、巻込みローラの側方に粘着テープ用リールを設け、押えブロックの下端近傍に端末起立レバーをその先端を復帰可能に誘導路に臨ませて配設し、端末起立レバーの先端に対向して誘導路に臨む受動体を上部に備えたＪ状揺動杆を枢軸とばねを介して揺動復帰可能に設け、受動部は耳折りガイドと耳折りガイドに交叉して回動可能に軸着したカッタとを具備するバックシーラのテープ端末処理装置が知られている（例えば、特許文献1参照）。
【０００３】
上記のように構成されるテープ結束器によれば、ビニール袋等の被シール体の口部を誘導路の入口部から押し込み、押し下げることにより、口部の両側にリールから繰り出される粘着テープと押えブロックの湾曲凹面から剥される粘着テープが捲着され、作動体ブロックの受動部をばねに抗して圧下すると共に、作動部を誘導路内に臨ませることで、粘着テープは耳折りガイドにより粘着面を内側にしてテープの長手方向（縦方向）に沿って二つ折りされ、カッタによって切断される。
【０００４】
また、別のテープ結束器として、上記バッグシーラにおける作動体ブロックに相当するフォーミングレバーの一方側の作用基端に折曲手段と切断手段を具備し、他方の基端部を誘導路の下流域に配置された位置規制軸に当接可能に形成してなり、二つ折り効果を促進させるために、位置規制軸に、円筒状の筒部材を回転自在に取り付け、この筒部材の略中央部に、環状突起例えばＯリングを形成した構造のものが知られている（例えば、特許文献２参照）。
【特許文献１】実公昭５６−３１５２５号公報（実用新案登録請求の範囲、第1図、第４図）
【特許文献２】特開２００３−１１９３２号公報（特許請求の範囲、段落番号００１１，００２９、図２，図９）
【考案の開示】
【考案が解決しようとする課題】
【０００５】
しかしながら、従来のこの種のテープ結束器においては、いずれも粘着テープのロール体を交換して、最初の１個目の結束を行う際には、粘着テープの両端末のうち一端しか耳折り（縦タブ）が作れない。したがって、結束した被シール体例えばビニール袋を開封してテープを剥がし、再結束する必要があった。また、粘着テープの両端に縦タブを形成するには、ロール体から引き出された粘着テープを一回空打ちした後、１個目の結束を行う必要があるので、作業効率が低下するばかりか、粘着テープの無駄が生じるという問題もあった。
【０００６】
この考案は、上記事情に鑑みてなされたもので、１個目の結束でも、テープの両端に縦タブを容易に形成することができ、再結束の手間を不要とし、作業効率の向上を図れるようにし、かつ、粘着テープの有効利用を図れるようにしたテープ結束器を提供することを課題とする。
【課題を解決するための手段】
【０００７】
上記課題を解決するために、請求項１記載の考案は、所定間隔で対向して設けられた一対の側板と、上記一対の側板に形成され、被シール体を導入口から取り出し溝に誘導する誘導路と、粘着テープのロール体を回転可能に保持する保持部と、上記誘導路の導入口近傍に臨むように回転可能に配設され、外周面に沿って複数の凹所を有するテープ供給歯車と、このテープ供給歯車の外周面に弾性的に当接する湾曲凹面を有し、上記テープ供給歯車と共働して上記粘着テープを上記被シール体にループ状に巻回する押え部材と、上記テープ供給歯車の後方において上記誘導路に臨ませた受動部と、上記押え部材から繰り出されてきた粘着テープを縦方向に折り曲げる折曲溝及び粘着テープを切断するカッタを有する作動部を備えた作動体と、を具備するテープ結束器であって、  上記誘導路の導入口の近傍位置に、上記ロール体から引き出された粘着テープの先端部を縦方向に折り曲げる縦タブ形成部を具備する、ことを特徴とする（請求項１）。
【０００８】
このように構成することにより、ロール体から引き出された粘着テープの先端部を縦タブ形成部に位置させ、縦タブ形成部により縦方向に折り曲げて結束前の粘着テープの先端に縦タブを形成することができる。そして、被シール体のシール部を誘導路の導入口部から押し込み、押し下げることにより、シール部の両側にロール体から繰り出される粘着テープと押え部材の湾曲凹面から剥される粘着テープが被シール体にループ状に巻回された後、粘着テープの後端すなわちロール体側が作動体の作動部に設けられた折曲溝に誘導されて縦タブが形成され、その後カッタにより切断される。
【０００９】
この考案において、上記縦タブ形成部は、上記誘導路の導入口の近傍位置に設けられていれば、任意の位置であってもよいが、縦タブ形成部を押え部材に設ける方が好ましい（請求項２）。この場合、縦タブ形成部を形成する部材を押え部材に固定手段例えばねじ等の固定部材や接着剤等によって押え部材に固定してもよく、あるいは、縦タブ形成部と押え部材とを一体に形成してもよい。
【００１０】
このように構成することにより、縦タブ形成部を誘導路の導入口の近傍に位置する押え部材を介して容易に設けることができる。
【００１１】
また、上記縦タブ形成部は、角部に設けられ、粘着テープを略Ｖ字状に折り曲げる拡開テーパ状溝と、粘着テープの引き出し方向に沿って上記拡開テーパ状溝の両端に連なる接着用細溝とを具備する構造である方が好ましい（請求項３）。
【００１２】
このように構成することにより、粘着テープを角部に設けられた拡開テーパ状溝で略Ｖ字状に折り曲げた後、接着用細溝内に挿入して縦タブを形成することができる。
【考案の効果】
【００１３】
（１）請求項１記載の考案によれば、被シール体の結束前にロール体から引き出された粘着テープの一端（先端）に縦タブを形成し、被シール体のシール部を結束し、切断する際に、他端に縦タブを形成することができるので、１個目の結束でも、テープの両端に縦タブを容易に形成することができる。したがって、再結束の手間を不要とし、作業効率の向上が図れると共に、粘着テープの無駄を省いて粘着テープの有効利用を図ることができる。
【００１４】
（２）請求項２記載の考案によれば、縦タブ形成部を誘導路の導入口の近傍に位置する押え部材を介して容易に設けることができるので、上記（１）に加えて、縦タブ形成部の取付を容易にすることができると共に、構成部材の削減を図ることができる。
【００１５】
（３）請求項３記載の考案によれば、粘着テープを角部に設けられた拡開テーパ状溝で略Ｖ字状に折り曲げた後、接着用細溝内に挿入して縦タブを形成することができるので、上記（１），（２）に加えて、結束前の縦タブの形成を容易にすることができ、結束作業の効率の向上を図ることができる。
【考案を実施するための最良の形態】
【００１６】
以下に、この考案の最良の実施形態について、添付図面に基づいて詳細に説明する。
【００１７】
図１は、この考案に係るテープ結束器の一例を示す概略斜視図、図２は、上記テープ結束器の内部構造を示す概略断面図である。
【００１８】
上記テープ結束器は、粘着テープ１のロール体２の保持部４と、例えばビニール袋等の被シール体Ａを案内誘導する上部が開口する誘導路５と、誘導路５の開口部付近に回転自在に枢着され、外周面に沿って複数の凹所６ａを有するテープ供給歯車６（以下にスターホィール６という）と、スターホィール６の外周面に弾性的に当接する湾曲凹面７ａを有し、スターホィール６と共働して粘着テープ１を被シール体Ａにループ状に巻回する押え部材７と、スターホィール６の後方において誘導路５に臨ませた受動部１１と、押え部材７から繰り出されてきた粘着テープ１を縦方向に折り曲げる折曲溝１２及び粘着テープ１を切断するカッタ１３を有する作動部１４とを略ベルクランク状に備えた作動体１０と、この作動体１０の受動部１１を誘導路５に臨ませるように回動復帰可能に弾性力を付勢する弾性手段である復帰用引張ばね１５と、ロール体２から引き出された粘着テープ１の先端を縦方向に折り曲げる縦タブ形成部８と、保持部４，誘導路５，スターホィール６，押え部材７，作動体１０及び縦タブ形成部８を設ける本体２０と、で主要部が構成されている。
【００１９】
本体２０は、ロール体２，スターホィール，押え部材７及び作動体１０等を収容する所定間隔２１で対向して設けられた一対の略Ｌ字状の側板２２によって構成されており、側板２２間に図示しないスペーサを介在すると共にボルト（図示せず）によって固定されている。本体２０を構成する側板２２の一端の上部にはロール体２を保持するリール３の軸３ａを回転可能に保持する挿入溝にてロール体２の保持部４が形成され、また、本体２０の他端側には、上方に向って開口する導入口５ａと連通する誘導路５が下方に向って傾斜状に設けられており、この誘導路５の下端部には誘導路５に連通する膨隆状の被シール体Ａの取出し溝５ｂが設けられている。また、取出し溝５ｂの下端より上方の位置には、横方向に延びる案内溝５ｃが連通しており、この案内溝５ｃの下辺側方部に被シール体Ａの口部を揃えるための切断用カッタ９が突出した状態で装着されている。なお、切断用カッタ９はカバー９Ａによって覆われており、結束作業中に、作業者が誤って切断用カッタ９の刃先部に接触するのを防止している。
【００２０】
また、本体２０の他端側の側面には、側方に向かって拡開テーパ状に開口する案内溝１６が設けられており、この案内溝１６内にナイフセット１７が配設されている。このナイフセット１７は、被シール体Ａを切断するために用いられるもので、開口部上端に円弧状の案内面１７ａを有し、この案内面１７ａと対向する開口部下端に上り勾配の傾斜案内面１７ｂを有するホルダ１７ｃの開口部下辺側にカッタ１７ｄが備えられている。
【００２１】
上記スターホィール６は、誘導路５の導入口近傍を臨む位置に回転軸６ｂによって回転可能に支承されており、その外周面に複数（図面では８個の場合を示す）の円弧状の凹所６ａを等間隔に形成している。
【００２２】
上記押え部材７は、側板２２に枢支ピン２２ａをもって揺動可能に枢支されるベルクランク状に形成されており、スターホィール６の凹所６ａを覆う一方の腕部７ｂの表面はスターホィール６の外周面に合せた曲率の湾曲凹面７ａが形成され、他方の腕部７ｃの先端部に設けられた係止孔７ｄと側板２２に設けられた係止突片２２ｂに張設される引張りばね７ｅにより、常時一方の腕部７ｂがスターホィール６の凹所６ａに向かって押圧されるようになっている。
【００２３】
上記のように構成されるスターホィール６と押え部材７において、スターホィール６の外周面上にロール体２から引き出された粘着テープ１の粘着層が上になるように載置した状態で被シール体Ａを導入口５ａから誘導路５内に挿入すると、スターホィール６の誘導路５に突出する外周面には、押え部材７の湾曲凹面７ａが当接しているので、この押え部材７とスターホィール６とが共働して被シール体Ａに包囲された粘着テープ１が合掌合せ状に貼着される。すなわち、ロール体２から引き出された粘着テープ１の粘着層が上になるようにスターホィール６に載置すると共に、押え部材７の湾曲凹面７ａに一時的に付着させて、粘着テープ１をスターホィール６と押え部材７との間で挟持した状態にする。そして、この状態で被シール体Ａを誘導路５内に挿入することにより、被シール体Ａに包囲された粘着テープ１が合掌合せ状に貼着された後、後方の折曲溝１２を有する作動体１０側に送られる。
【００２４】
また、縦タブ形成部８は、ロール体２から引き出される粘着テープ１が、誘導路５の導入口５ａを越えた延長線上の押え部材７の腕部７ｃの上面部に固定手段例えば固定ねじ４０によって固定されている。この場合、縦タブ形成部８は、図３ないし図５に示すように、押え部材７の幅と同じ幅を有すると共に、円弧状の角部８ａを有する略三角形状のピース部材８ｂにて形成されており、角部８ａには、粘着テープ１を略Ｖ字状に折り曲げる拡開テーパ状溝８ｃが設けられ、角部８ａに隣接する両辺部８ｄ，８ｅには、粘着テープ１の引き出し方向に沿って拡開テーパ状溝８ｃの両端に連なる接着用細溝８ｆが設けられている。また、角部８ａには、段付きの取付孔８ｇが設けられており、この取付孔８ｇを貫挿する固定ねじ４０を押え部材７の腕部７ｃに螺合することで、縦タブ形成部８を形成するピース部材８ｂが押え部材７に固定される。
【００２５】
なお、縦タブ形成部８を形成するピース部材８ｂを固定ねじ４０以外の固定手段例えば接着剤を用いて押え部材７に固定してもよい。また、縦タブ形成部８を押え部材７と一体に形成してもよい。
【００２６】
上記のように構成される縦タブ形成部８によれば、ロール体２から引き出される粘着テープ１を、結束前に縦タブ形成部８に導き、拡開テーパ状溝８ｃに押し付けて粘着テープ１の粘着層を略Ｖ字状に折り曲げた後、更に押し付けて接着用細溝８ｆ内に挿入して粘着テープ１の粘着層同士を接着して縦タブ１ａを形成することができる（図１及び図３参照）。
【００２７】
一方、上記作動体１０は、枢支ピン１８をもって側板２２に枢着される垂直方向に揺動（回動）可能な略ベルクランク状に形成されており、上方側に位置する作動部１４に上記押え部材７から繰り出されてきた粘着テープ１を縦方向に折り曲げる折曲溝１２及びこの折曲溝１２の後方側に位置して粘着テープ１を切断するカッタ１３が設けられており、凹部１９を介して作動部１４と対向する下方側に受動部１１が設けられている。この場合、折曲溝１２は、図２及び図４に示すように、開口側が緩やかな円弧状面を有する拡開テーパ状に形成されている。
【００２８】
また、作動体１０の作動部１４におけるスターホィール６の近傍側端部には、円弧状案内面３０が形成されている。このように、作動部１４におけるスターホィール６の近傍側端部に円弧状案内面３０を形成することにより、被シール体Ａのシール部を誘導路５の導入口部から押し下げることによって作動体１０が回転して円弧状案内面３０が粘着テープ１に接触するので、粘着テープ１への当たりをスムーズにすることができ、粘着テープ１の損傷等を抑制することができる。
【００２９】
また、作動体１０の背部における枢支ピン１８より若干上方にずれた位置に突設されるばね受け片１０ａと、側板２２におけるロール体２の保持部４の下方側に設けられた係止突片２２ｃとに張設される復帰用引張ばね１５によって受動部１１が誘導路５に臨むように弾性力が付勢されている。
【００３０】
上記のように構成することにより、受動部１１が誘導路５を閉鎖した状態では、作動部１４が誘導路５から後退して誘導路５が開放され、受動部１１が復帰用引張ばね１５の弾性力に抗して誘導路５の下流側に押し込まれて誘導路５を開放したときに、作動部１４が誘導路５に接近する方向に回動され、これにより作動部１４に具備された折曲溝１２に粘着テープ１が当接して、粘着テープ１が長手方向すなわち縦方向に折り曲げられ、更にこの縦方向に折り曲げられた二つ折りの先端部分が、カッタ１３で切断され、これにより二つ折りのいわゆる縦タブが形成される。
【００３１】
次に、上記テープ結束器の作動態様について、図１ないし図７を参照して説明する。まず、使用初期時には、保持部４に保持されたロール体２から引き出される粘着テープ１の先端部を誘導路５の導入口５ａを越えて縦タブ形成部８の上方に、粘着層を上にした状態で位置させる。そして、縦タブ形成部８の拡開テーパ状溝８ｃに押し付けて粘着テープ１の粘着層を略Ｖ字状に折り曲げた後、更に押し付けて接着用細溝８ｆ内に挿入して粘着テープ１の粘着層同士を接着して縦タブ１ａを形成する（図１，図３及び図７（ａ）参照）。
【００３２】
次に、例えばビニール製袋内に所望の物品を収容した袋の袋口すなわち被シール体３を収束すると共に３，４回捩り、その捩り部を両手で持って誘導路５の導入口５ａから誘導路５内に向かって挿入すると、粘着テープ１が貼着された被シール体３が、スターホィール６と押え部材７との間に誘導される（図７（ｂ）参照）。これにより、スターホィール６が時計方向に回転すると共に、凹所６ａ内に挿入された被シール体３の周囲に粘着テープ１を包囲し、スターホィール６の外周が押え部材７に当接した状態で粘着テープ１が合掌合せ状に貼着される（図７（ｃ）参照）。
【００３３】
更に、粘着テープ１が貼着された被シール体３を誘導路５の下方へ送り込むと、被シール体３は作動体１０の受動部１１に当接して、復帰用引張ばね１５の弾性力に抗して作動体１０が図において時計方向に回転する（図４及び図７（ｄ）参照）。すると、作動部１４が誘導路５内に突入して円弧状案内面３０が押え部材７から繰り出された粘着テープに接触して粘着テープ１を誘導路５の下流側に案内移動する一方、折曲誘起用突起８によって形成された粘着テープ１の折曲線１ａ部を折曲溝１２内に誘導して粘着テープ１を二つ折りに折曲する（図７（ｅ）参照）。更に、作動体１０が時計方向に回転すると、作動部１４の折曲溝１２の後方に設けられたカッタ１３によってスターホィール６と押え部材７とで挾持されている粘着テープ１が切断される（図７（ｆ）参照）。これにより、粘着テープ１の結束シール部に先端の縦タブ１ａに加えて後端に縦タブ１ａが形成される。
【００３４】
結束シールされた被シール体３は取出し溝５ｂから取り出される。また、シール部の先端側に不要部分がある場合は、被シール体３を案内溝５ｃ内に挿入して、被シール体３を切断用カッタ９の刃先部上に位置させた状態で、被シール体３を下方へ押し下げることによって被シール体３の先端不要部を切断することができる。
【００３５】
以下、２回目以降の結束操作においては、既に粘着テープ１の先端に縦タブ（二つ折れ部）が形成されているので、最初の縦タブ成形を行わずに上記と同様の操作を行うことにより、被シール体３の結束シール部を結束する粘着テープの両端に縦タブ１ａを形成することができる。
【図面の簡単な説明】
【００３６】
【図１】この考案に係るテープ結束器の一例を示す概略斜視図である。
【図２】上記テープ結束器の内部構造を示す概略断面図である。
【図３】この考案におけるテープ供給歯車、押え部材及び縦タブ形成部を示す斜視図である。
【図４】被シール体の結束シール状態を示す要部斜視図である。
【図５】この考案における縦タブ形成部を示す斜視図である。
【図６】図４のＩ−Ｉ線に沿う断面図である。
【図７】上記テープ結束器の動作態様を示す概略斜視図である。
【符号の説明】
【００３７】
Ａ  被シール体
１  粘着テープ
１ａ  縦タブ
２  ロール体
４  保持部
５  誘導路
６  スターホィール（テープ供給歯車）
６ａ  凹所
７  押え部材
７ａ  湾曲凹面
８  縦タブ形成部
８ａ  角部
８ｃ  拡開テーパ状溝
８ｆ  接着用細溝
１０  作動体
１１  受動部
１２  折曲溝
１３  カッタ
１４  作動部
１５  復帰用引張ばね（弾性手段）
【図１】
0003124891.tif 000003
【図２】
0003124891.tif 000004
【図３】
0003124891.tif 000005
【図４】
0003124891.tif 000006
【図５】
0003124891.tif 000007
【図６】
0003124891.tif 000008
【図７】
0003124891.tif 000009